(57)【要約】【課題】本発明の課題は、同一の手段により、複数の現場、作業者による作業時の「作業完了」の思い込みによる電源投入時の感電事故防止と作業完了時の接地線の外し忘れ事故防止との両者に対処可能な電気工事管理装置を提供することである。【解決手段】本発明の電気工事管理装置は、接地手段又は及び個々を認識可能な信号を発生する発生器を備えて、作業現場情報を与える作業現場情報付与具と、この情報を読み取り、取り付けられた作業現場情報付与具の全てが取り外されたことを判断し、遮断器を再投入する許可を行う判断出力を出すもので遮断器に取り付けられる管理具を備える。【選択図】図１
2013247748.tif 000002
【特許請求の範囲】
【請求項１】
電気工事現場へ電気を供給及び停止する遮断器又はその周辺に取り付けられる管理具と前記電気工事現場の配線又はその周辺に取り付けられる作業現場情報付与具を備え、前記管理具は、前記作業現場情報付与具からの作業現場情報を読み取り監視するための作業現場情報付与具監視部と、前記作業現場情報付与具監視部の読み取り監視を制御し、前記作業が終了することで、前記取り付けられた作業現場情報付与具の全てが取り外されたことを判断し、前記取り付けられた管理具を外し、前記遮断器を再投入して電気を供給することを許可する出力を出す判断出力部を含むコントローラを備え、前記作業現場情報付与具は、前記電気工事現場の前記配線を接地する接地手段と前記作業現場情報付与具の個々を認識できるための認識信号を発生し前記管理具に読ませ認識させるための作業現場情報付与具認識信号発生器との内、少なくとも一つを備えたことを特徴とする電気工事管理装置。
【請求項２】
前記判断出力部の前記前記遮断器の再投入許可の出力は、前記遮断器を遮断した後前記管理具が取り付けられた後、前記作業現場情報付与具が取り付けられる前は出力されず、前記作業現場情報付与具が取り付けられた後、前記作業現場情報付与具の全てが取り外されたことをもって出力されることを特徴とする請求項１記載の電気工事管理装置。
【請求項３】
前記管理具は、前記判断出力部の判断出力により施錠・開錠する電気ロックを備えたことを特徴とする請求項１又は請求項２記載の電気工事管理装置。
【請求項４】
前記管理具又は、前記管理具と前記遮断器の間に、前記遮断器を投入し電気を供給する遮断器投入手段を動かせないように固定又はカバーする遮断器投入禁止具を備え、これを前記電気ロックで施錠することを特徴とする請求項３記載の電気工事管理装置。
【請求項５】
前記作業現場情報付与具は、作業中に関する表示を行う表示器を備えたことを特徴とする請求項１から請求項４のいずれか１つに記載の電気工事管理装置。
【請求項６】
前記作業現場情報付与具認識信号発生器は、
前記作業現場情報付与具ごとに値の異なる電気抵抗を介して接地する手段、又は、前記配線と接地間に与える前記作業現場情報付与具ごとに値の異なる電気信号の供給手段のいずれかを備えたことを特徴とする請求項１から請求項５のいずれか１つに記載の電気工事管理装置。
【請求項７】
前記作業現場情報付与具は、その取り付けにより、前記作業現場情報付与具認識信号発生器と前記表示器の内、少なくとも１つへの電源を接続状態に切り替える取付連動スイッチを備えたことを特徴とする請求項５又は請求項６のいずれか１つに記載の電気工事管理装置。
【請求項８】
前記配線を介して前記作業現場情報を読み取るときのタイミングにおいて、前記管理具は、前記管理具を接地状態から開放状態に切り替える第一の接地切替スイッチを備えたことを特徴とする請求項１から請求項７のいずれか１つに記載の電気工事管理装置。
【請求項９】
前記作業現場情報付与具は、接地状態の場合に、前記配線を介して接地状態以外の前記作業現場情報を送り出すタイミングにおいて、前記作業現場情報付与具を接地状態から開放状態に切り替える第二の接地切替スイッチを備えたことを特徴とする請求項１から請求項８のいずれか１つに記載の電気工事管理装置。
【発明の詳細な説明】
【技術分野】
【０００１】
本発明は、電気配線上で工事作業を行う場合に、工事箇所の上流側の配電盤や分電盤上の遮断器を解放して工事箇所とその周辺を停電状態にし作業を行い、完了・確認後、再び、遮断器を投入して、電気配線に通電する際の未だ作業中であるにもかかわらず遮断器を投入する危険を防止する電気工事管理装置に関するものである。
【背景技術】
【０００２】
従来、この手の危険防止手段として挙げられているものを列記すると以下のようである。
本出願人は、特許文献１において、配線用遮断器ＭＣＣＢの切り替えスイッチを切り替えできないように固定、或いはカバーし、これに作業者個人が有する錠前を掛けるロックアウト具を提案した。これは、複数の作業者が作業をした場合は、複数の錠前がぶら下がり、工事が終了した作業者が鍵で錠前を外すことで、全ての錠前が外した状態でロックアウト具が外れ、切り替えスイッチを投入することが可能なものであった。
特許文献２には、アースの外し忘れを防止するものであって、配電盤と作業現場の両方にペアの乙アース札をつけ、両方を照合してアースの外し忘れを防止するものであった。
特許文献３は、作業現場が配電盤の裏側（内側）であり、ＯＦＦされた遮断器の各相を短絡し接地する。これを受けて、配電盤表面に「接地中」の表示を出す回路を取りつける。
配電盤の「接地」状態を配電盤表面側から見えるようにしたものである。
特許文献４は、配電盤等の導体に接地線を接続し、これと並列に直流電源とフォトカプラを解して接地し、遮断器にインターロックを掛けて、接地線を外さないと電源が入らないようにしたものである。
特許文献５は、分電盤の各分岐ブレーカの負荷側端子に各々異なる抵抗値とダイオード手段による回路を着脱自在に接続して、配線端末からこれらを判別する測定器を接続して、配線の接続チェックを行うものである。
特許文献６は、各相ごとに一周期内の発生回数が異なる断続信号とその加算した信号を送信し、受信して送信側と受信側の対応関係を判定するものである。
特許文献１は、複数の作業者がそれぞれ所有する錠前のいずれも外れされ付いていないことにより作業者の作業終了を知ることができるが、作業終了と接地線が外されていることの確認は別であるので、接地線を付けたまま電源を入れる危険性は回避されない。
特許文献２と特許文献３と特許文献４は、アース中の明確化、アースの外し忘れ、アースが付いた状態では、電源が入らないことを狙いとしていて、アースをつけたまま電源をいれる危険を防止するものであり、まだ作業を完了していない状態での電源投入防止とは異なるが、電源投入時の危険防止を目的にしたものである。特許文献２と特許文献３では、「接地」の表示をすることで作業に関する人の目による監視を行うものであるため、安全監視上は万全とは言いにくい。特許文献５は、インターロックを掛けているので、接地中は、電源が投入にならない点では、配電盤上の接地中に電源投入の危険は回避できるが、特許文献２と特許文献３ともども、配電盤から離れた現場での作業者の安全を守ることには無力である。
特許文献５、特許文献６は、配電盤や分電盤とそれから離れた配線の端末の接続関係を読み取る手段であるので、本願の目的とは異なるものであるが、配線を介した測定においては測定手段として参考になる。
【先行技術文献】
【特許文献】
【０００３】
【特許文献１】特願２００９−０５９６３９
【特許文献２】特許第４６３７７６８号
【特許文献３】特開２００２−１９９５２０
【特許文献４】特開２００８−１６０９１９
【特許文献５】特許第４３５３５７５号
【特許文献６】特開２００３−１８５６９３
【発明の概要】
【発明が解決しようとする課題】
【０００４】
本発明の課題は、同一の手段により、複数の現場、作業者による作業時の「作業完了」の思い込みによる電源投入時の感電事故防止と作業完了時の接地線の外し忘れ事故防止との両者に対処可能な電気工事管理装置を提供することである。
【課題を解決するための手段】
【０００５】
本発明の電気工事管理装置は、接地手段又は及び個々を認識可能な信号を発生する発生器を備えて、作業現場情報を与える作業現場情報付与具と、この情報を読み取り、取り付けられた作業現場情報付与具の全てが取り外されたことを判断し、遮断器を再投入する許可を行う判断出力を出すもので遮断器に取り付けられる管理具を備える。以下、請求項に沿って記述する。
【０００６】
請求項１記載の発明は、電気工事管理装置であって、電気工事現場へ電気を供給及び停止する遮断器又はその周辺に取り付けられる管理具と前記電気工事現場の配線又はその周辺に取り付けられる作業現場情報付与具を備え、前記管理具は、前記作業現場情報付与具からの作業現場情報を読み取り監視するための作業現場情報付与具監視部と、前記作業現場情報付与具監視部の読み取り監視を制御し、前記作業が終了することで、前記取り付けられた作業現場情報付与具の全てが取り外されたことを判断し、前記取り付けられた管理具を外し、前記遮断器を再投入して電気を供給することを許可する出力を出す判断出力部を含むコントローラを備え、前記作業現場情報付与具は、前記電気工事現場の前記配線を接地する接地手段と前記作業現場情報付与具の個々を認識できるための認識信号を発生し前記管理具に読ませ認識させるための作業現場情報付与具認識信号発生器との内、少なくとも一つを備えたことを特徴とする。
【０００７】
請求項２記載の発明は、請求項１記載の電気工事管理装置において、前記判断出力部の前記前記遮断器の再投入許可の出力は、前記遮断器を遮断した後前記管理具が取り付けられた後、前記作業現場情報付与具が取り付けられる前は出力されず、前記作業現場情報付与具が取り付けられた後、前記作業現場情報付与具の全てが取り外されたことをもって出力されることを特徴とする。
【０００８】
請求項３記載の発明は、請求項１又は請求項２記載の電気工事管理装置において、前記管理具は、前記判断出力部の判断出力により施錠・開錠する電気ロックを備えたことを特徴とする。
【０００９】
請求項４記載の発明は、請求項３記載の電気工事管理装置において、前記管理具又は、前記管理具と前記遮断器の間に、前記遮断器を投入し電気を供給する遮断器投入手段を動かせないように固定又はカバーする遮断器投入禁止具を備え、これを前記電気ロックで施錠することを特徴とする。
【００１０】
請求項５記載の発明は、請求項１から請求項４のいずれか１つに記載の電気工事管理装置において、前記作業現場情報付与具は、作業中に関する表示を行う表示器を備えたことを特徴とする。
【００１１】
請求項６記載の発明は、請求項１から請求項５のいずれか１つに記載の電気工事管理装置において、前記作業現場情報付与具認識信号発生器は、前記作業現場情報付与具ごとに値の異なる電気抵抗を介して接地する手段、又は、前記配線と接地間に与える前記作業現場情報付与具ごとに値の異なる電気信号の供給手段のいずれかを備えたことを特徴とする。
【００１２】
請求項７記載の発明は、請求項５又は請求項６のいずれか１つに記載の電気工事管理装置において、前記作業現場情報付与具は、その取り付けにより、前記作業現場情報付与具認識信号発生器と前記表示器の内、少なくとも１つへの電源を接続状態に切り替える取付連動スイッチを備えたことを特徴とする。
【００１３】
請求項８記載の発明は、請求項１から請求項７のいずれか１つに記載の電気工事管理装置において、前記配線を介して前記作業現場情報を読み取るときのタイミングにおいて、前記管理具は、前記管理具を接地状態から開放状態に切り替える第一の接地切替スイッチを備えたことを特徴とする。
【００１４】
請求項９記載の発明は、請求項１から請求項８のいずれか１つに記載の電気工事管理装置において、前記作業現場情報付与具は、接地状態の場合に、前記配線を介して接地状態以外の前記作業現場情報を送り出すタイミングにおいて、前記作業現場情報付与具を接地状態から開放状態に切り替える第二の接地切替スイッチを備えたことを特徴とする。
【発明の効果】
【００１５】
以上の様に構成されているので、本発明による電気工事管理装置は、全ての作業現場情報付与具が外された（全作業完了、全接地が外された）ことを電気的に確認・許可されるので安全作業の向上が図れる。
【図面の簡単な説明】
【００１６】
【図１】本発明に係る電気工事管理装置の一実施態様を示す図である。
【図２】本発明に係る電気工事管理装置の別の一実施態様を示す図である。
【図３】本発明に係る電気工事管理装置での安全を確保した電気工事作業工程の一実施態様を示す図である。
【図４】本発明に係る電気工事管理装置の管理具の構成の一実施態様を示す図である。
【図５】本発明に係る電気工事管理装置の管理具の遮断器ロック部の構成の一実施態様を示す図である。
【図６】本発明に係る電気工事管理装置の管理具の判断出力部の構成の一実施態様を示す図である。
【図７】本発明に係る電気工事管理装置の作業現場情報付与具の構成の一実施態様を示す図である。
【図８】本発明に係る電気工事管理装置の作業現場情報付与具の構成の別の一実施態様を示す図である。
【図９】本発明に係る電気工事管理装置の作業現場情報付与具の取付具の一実施態様を示す図である。
【図１０】本発明に係る電気工事管理装置を取り付ける作業環境の一実施態様を示す図である。
【発明を実施するための形態】
【００１７】
本発明の電気工事管理装置は接地手段又は及び個々を認識可能な信号を発生する発生器を備えて、作業現場情報を与える作業現場情報付与具と、この情報を読み取り、取り付けられた作業現場情報付与具の全てが取り外されたことを判断し、遮断器を再投入する許可を行う判断出力を出すもので遮断器に取り付けられる管理具を備える。以下図に沿って説明する。
【００１８】
図１０は、本発明に係る電気工事管理装置等を取り付ける作業環境の一実施態様を示す図である。先ず、これを用いて、電気工事管理装置等を取り付ける環境を説明する。
図示されない配電盤、分電盤の中には、高圧側の近い側を上流側、低圧側に近い側を下流と表すことにすれば、配電盤の周辺の配電盤側１０００では、上流側配線１１０１と下流配線１１０２が遮断器１１０３に接続され、下流配線１１０２は、配電盤側１１００とは隔たった作業現場側１１１０まで配線されている。作業現場側１１１０では、互いに隔たった作業現場１１１１Ａと作業現場１１１１Ｂなど複数の現場で作業がなされるものと想定する。このような作業環境の中で、配電盤側１１００で遮断器１１０３を切って、下流配線１１０２又は、作業現場側１１１０の作業現場１１１１Ａ及び作業現場１１１１Ｂにて、接地して作業が行われ、作業終了後に、接地を外し、配電盤側１１００で遮断器１１０３を投入する。この際に、接地線が外されない状態と作業が終了しない作業現場が１つでもある場合は、遮断器１１０３が投入できないことを実現する。
【００１９】
図１は、本発明に係る電気工事管理装置の一実施態様を示す図である。
電気工事管理装置１００は、作業現場１１１１Ａ、作業現場１１１１Ｂ・・・に付設し、作業現場での接地中、作業中などの情報を管理具１２０に対して与える作業現場情報付与具１１０とそれらの状態を読み取る管理具１２０を有する。
作業現場情報付与具１１０は、作業現場１１１１Ａ、作業現場１１１１Ｂなど作業現場に取り付けられる接地手段、又は／及び、作業現場情報付与具１１０を認識できる信号を作り管理具１２０へ向けて送る作業現場情報付与具認識信号発生器を備え、更に、接地中や作業中を表示するランプ、ＬＥＤやＬＣＤによる表示部１１１を備えると好都合である。
表示したいときに表示部１１１の電源を入れるスイッチを備えてもよいが、作業現場情報付与具１１０を付設したことで表示部１１１の電源が自動的入るようにすることが望ましい。この場合は、作業現場情報付与具１１０に、クリップや、吸盤、磁石、ねじ締めなどの取付具を備え、取り付けた状態では、表示部１１１の電源が入り、取り外した状態では、電源が切れるようにすると都合がよい。このことは、図７、図８で再度記述する。
管理具１２０からは、下流配線１１０２を介して、又は、下流配線１１０２の途中にトランスなどの直接配線が直流的に接続していない介在回路１１２がある場合に対応して、電波や音波による無線通信手段１１３を備えると好都合であり、図１はそのような場合の例である。無線通信手段は、近距離通信が好ましい。又、電波による場合は、配電盤の金属の影響があるので、超音波など音波で送信、中継するのも好都合である。
作業現場情報付与具１１０は、自体に現場配線を挟み接続するクリップなどを備えて、これから現場配線に以下のような情報を与え、これを配電盤側の管理具１２０から読み出すことができる。この場合は、配電盤側と作業現場側で繋がった下流配線１１０２を通じて、読み出すわけであり、図２に示す場合に相当する。図１では、この情報の読み出しが無線通信手段１１３を介して可能なようにしている場合である。下流配線１１０２を介して、或いは無線通信手段１１３を介して作業現場情報付与具１１０から管理具１２０へ与える情報としては、下流配線１１０２の接地状態、或いは、接地ではなく作業現場側下流配線１１０２と接地間に接続した電気抵抗や、作業現場側下流配線１１０２に与えた微小（感電や電気破壊、事故にならない電圧）な電気信号の形態をとることができる。勿論、管理具１２０側から作業現場情報付与具１１０の個々を区別できると好都合なので、上記の接地抵抗、抵抗値、電気信号は、作業現場情報付与具１１０毎に相異なることが望ましい。
図１の電気工事管理装置としての動作を説明する前に、図２において、図１との違いを説明する。その後、図１、図２に共通な動作を説明する。
【００２０】
図２は、本発明に係る電気工事管理装置の別の一実施態様を示す図である。
図２では、下流配線１１０２が配電盤側と作業現場側の間で繋がっているので、図１のように無線通信手段１１３を介さなくとも、作業現場情報付与具１１０からの情報を管理具１２０が下流配線１１０２を介して読み出せる場合である。
図１との違いは、無線通信手段１１３を使用しないだけでなく、下流配線１１０２を読み出し線に使うので、管理具１２０側の読み出しのタイミングで、下流配線１１０２の配電盤側の接地を瞬時切断する必要があり、接地切替スイッチ２０１を備えて、これを管理具１２０内のコントローラが制御している。
【００２１】
上記の詳細な説明の前に電気工事の作業工程を説明する。
図３は、本発明に係る電気工事管理装置での安全を確保した電気工事作業工程の一実施態様を示す図である。
作業は、概ねこの電気工事作業工程に沿って行われる。１）から５）までは、前作業の工程であり、工事に関する下流側の装置の電源を遮断して停止する作業である。６）７）で工事現場を停電にする遮断器を遮断し、検電により残留電荷無しの確認の作業。８）で遮断器の下流側（配電盤側下流配線）に管理具を付設して、接地する作業。以後は、作業現場であり、９）１０）作業現場側下流配線の確認と検電確認作業。１１）作業現場側下流配線の接地と作業現場情報付与具の付設稼動。１２）作業・確認  １３）作業現場情報付与具・接地具を外す。
この後は、再び配電盤側の作業であり、１４）１５）１６）接地具と管理具の取り外し、遮断器を投入、関連部門連絡の順で行われる。
作業現場情報付与具が使用されていることが、管理具で一旦認識されたあと、全ての作業現場情報付与具が外されて不使用状態になったことが管理具で確認されない限り、管理具は配電盤側の接地具の取り外しと遮断器の投入の許可を出さない。更に安全には、これらの動作が人為的にできないようにロックがかかるようにすることが可能である。
【００２２】
図４は、本発明に係る電気工事管理装置の管理具の構成の一実施態様を示す図である。
管理具１２０は、作業現場情報付与具１１０が使用されているかを監視する作業現場情報付与具監視部４０１と監視結果から全ての作業現場情報付与具１１０が使用なされなくなって外れた状態かを判断し（一つでも作業現場情報付与具１１０が使用中の検出がなされている限り、遮断器１１０３の投入や接地解除の許可が管理具１２０から出されない。又、以下の遮断器ロックがなされると、遮断器１１０３の投入などのこれらの処理が人為的に不可能に保たれる。）、判断結果を出力する判断出力部４０２と、その判断出力を表示する、又は、現在使用されている作業現場情報付与具その他の必要な情報を表示する表示部４０３（ＬＣＤ等の文字や図の表示器、文字や図のパターンとＬＥＤ他のランプの組み合わせによる表示器を備える）と、これらを制御するコントローラ４０４を備えている。勿論図示のように判断出力部４０２はコントローラ４０４に内在されていてもよい。尚、遮断器ロック部４０５を更に備えて、判断出力部４０２からこれを駆動すると、判断出力により遮断器１１０３を人手により外すことができないようにロックし、また解除により、外すことができるようにできる。
尚、４−Ａに示すものは。監視を電波や音波による無線通信により行う場合の図であるので、作業現場情報付与具監視部４０１に接続して無線通信部４０６を備えている。又、遮断器１１０３を遮断した後、遮断器の下流側（配電盤側下流配線）は接地する方が安全なので、接地具を付設する。接地具４０７は、管理具１２０に備えておくと、管理具の取り付けと同時に接地することも可能となり好都合である。４−Ａでは、作業現場情報付与具監視部４０１の監視は、無線通信部４０６を介して行うので、接地具４０７は、管理中は常時接続しておいてよい。これに対して。４−Ｂでは、作業現場情報付与具監視部４０１の監視は、監視対象の配線を通じて行う場合なので、作業現場情報付与具監視部４０１は、これら配線に接続され、監視中のデータ読み込みの瞬時だけは、接地具４０７の接地状態を外す必要があるため、接地具４０７Ｂは、接地切替スイッチ２０１を備えたものとなっている。データ読み込みの瞬時に接地されていると、読み込んだデータは接地状態しか読み取れず、作業現場側の接地他の情報は読み取れないからである。
【００２３】
図５は、本発明に係る電気工事管理装置の管理具の遮断器ロック部の構成の一実施態様を示す図である。
５−Ａには、遮断器ロック部の基本構成の例を示す。遮断器の１１０３の投入釦、スイッチノブ、入切ハンドル等の遮断器投入手段を投入できなくするために遮断器の１１０３に取り付けるカバー、固定具を備えた遮断器投入禁止具５０１とこれが外れないようにロック又は解除する電気錠５０２を備えている。電気錠５０２には、コントローラ４０４又はその判断出力部４０２からロック又は解除のための電気信号が与えられる。
以下に遮断器投入禁止具５０１として使用できるいくつかの例を挙げる。
【００２４】
５−Ｂには、本出願人の出願による特開２００９−０５９６３９の図５に示されるＭＣＣＢロックアウト具を用いた例である。ＭＣＣＢ５０３のスイッチノブ５０４にロックアウト具５０５を取り付け、これには直接又は錠前取り付け具５０６を介して、電気錠５０２が取り付けられる。電気錠５０２が外れない限り、スイッチノブ５０４を動かすことはできないように固定されている。尚、スイッチノブ５０４を固定する以外にカバーして動かせないようにすることも可能であり、特開２００９−０５９６３９には、その多くの例が紹介されている。
【００２５】
５−Ｃには、入切ハンドル５０７を有する遮断器１１０３に対応するもので、入切ハンドル５０７を挟み又は回転を制限する固定枠５０８を有し、他方には遮断器１１０３の端その他の段差部又は取っ手との間で固定し、電気錠５０９をかけることができるハンドル固定具５１０を示している。
【００２６】
５−Ｄには、投入釦５１１を有する遮断器１１０３に対応するもので、投入釦５１１を押せないようにカバー部５１２とこれらに接続し、遮断器１１０３の段差部又は取っ手との間で固定し、電気錠５０９をかけることができる固定部５１３を有する投入釦カバー体５１４の例である。電気錠５０９を取り付ける錠前取付部５１５が示されている。
【００２７】
図６は、本発明に係る電気工事管理装置の管理具の判断出力部の構成の一実施態様を示す図である。この図を用いて、作業現場情報付与具監視部４０１の説明を先に行う。
作業現場情報付与具監視部４０１は、コントローラ４０４が指示するタイミングで、作業配線の配線又は無線通信経由で、作業現場情報付与具１１０の作業箇所での取付・使用状態情報を読み取る。取付・使用状態情報は、いろいろの形態が取れる。例えば、
１）   
作業現場情報付与具が作業現場側で取付・使用中であること
２）   
作業現場側で配線が接地状態であること
３）   
作業現場側で配線が予め決められた電気抵抗を介して接地してあること。
４）   
作業現場側で配線に作業現場情報付与具から予め決められた電気信号が与えられていること。尚、この場合は、電気信号を与える瞬間は、作業現場側でも接地切替スイッチ２０１を備えて接地を切り離す必要がある。
などのいずれでもよい。
【００２８】
読み取られた取付・使用状態情報は、判断出力部４０２で少なくとも以下の判断を行う。
・作業現場情報付与具使用実績（管理具が稼動した後の使用実績があるか）の判定
・  作業現場情報付与具が作業現場側配線に取り付けられ使用されているか、又は全て取り外され使用されていないかの判定。
これは、以下に示すように、判断出力部４０２に、管理具が稼動状態になったあとは、作業現場情報付与具を使用する前の段階では、管理具をロック状態にし、遮断器の投入がなされないようにし、作業現場情報付与具が使用されたことを検出してロック状態を維持し、その後、全ての作業現場情報付与具が不使用（外された）を検出してロック状態を解除判定することを行わせるためである。
【００２９】
図で示す論理図で説明すると、
データ入力は、論理和回路６０１に入力し、その出力は、インバータ６０２で反転して次の使用中無しの判定回路に入力する。論理和回路６０１の出力は、遅延部６０４で１測定時間遅延を伴って、論理和回路６０１に入力しているので、従って次の測定タイミングに新たな測定データと論理和（ＯＲ）を取られている。従って、管理具が取り付けられ稼動を開始した後は、作業現場情報付与具の使用実績が全く無いときは、インバータ６０２の出力は、論理値「１」の出力であり、これが不使用判定回路の論理和回路６０３に入力して、他の入力の値にかかわらずその出力は論理値「１」となり、ロック判定となる。次に、作業現場情報付与具の使用有りを検出すると、論理和回路６０１と論理和回路６０３の両方の入力に論理値「１」が入力する。そのため、論理和回路６０３の出力は、論理値「１」であるので、ロック判定を維持し、論理和回路６０１の入力が論理値「１」が入ったことで、その出力が論理値「１」となり、インバータ６０２の出力は、論理値「０」になる。論理和回路６０１の出力は、１測定時間遅延を伴って、再度論理和回路６０１に戻っているので、一旦論理値「１」が入力した後は、管理具が外されて全体解除になるまで、インバータ６０２の出力は、論理値「０」を保持し続ける。このような中で、新たな測定タイミングで、作業現場情報付与具不使用即ち、外されて１個も使われていないデータ論理値「０」が論理和回路６０３に入力すると、その出力は論理値「０」となり、ロック解除判定に切り替わる。
論理図ではなくソフトウェアによって機能を構成すれば容易である。又、ここに示す以外の機能構成も可能である。
尚、管理具を外して稼動状態でなくなった時又は、管理具を取り付けた最初のときに、使用実績判定部の値を初期値にする初期化部６０５を備えるようにしておくことが好ましい。
【００３０】
図７は、本発明に係る電気工事管理装置の作業現場情報付与具の構成の一実施態様を示す図である。配線経由で作業現場情報付与具の取付・使用状態情報を読み取る場合である。
図８は、本発明に係る電気工事管理装置の作業現場情報付与具の構成の別の一実施態様を示す図である。無線通信経由で作業現場情報付与具の取付・使用状態情報を読み取る場合である。
先ず、両図に共通なことを説明する。
作業現場情報付与具１１０は、図６で説明した作業現場情報付与具の取付・使用状態情報を発生する作業現場情報発生部７０１と、作業現場情報付与具１１０を作業対象の配線や周辺に取り付けるための取付具７０２と、ＬＣＤ等の文字や図の表示具、文字や図のパターンとＬＥＤ他のランプの組み合わせによる表示具を備え、取り付け作業中を表示するための表示器７０３を備えている。尚、取付具７０２を取り付けたことで、作業現場情報発生部７０１と表示器７０３を動作させる電源が入るように、取り付けに連動して切り替わる取付連動スイッチ７０４を備えると好都合である。尚、表示器７０３や作業現場情報付与具のパネル面には、ランプが付くと文字が見えることや、「取り外さないと電源投入ができません。作業後は取り外してください。」のような表示をすると便利である。
【００３１】
次に、両図での差異について述べる。
図８には、作業現場情報発生部７０１と表示器７０３を制御するコントローラ８０１を示したが、図７でもあったほうが単なる論理回路のみで構成するよりは、順序回路機能を構成しやすいことは勿論である。コントローラ８０１は、シーケンサや、ＣＰＵとソフトウェアにより機能動作をさせるものであり、機能が単純な場合は論理回路で構成してこれを省く構成も可能である。無線通信手段の制御も考えると、論理回路のみで構成するよりは、コントローラを備えた方が回路が簡単になる。
無線通信手段８０２が備えてあり、これを介して作業現場情報発生部７０１からの情報を管理具１２０の無線通信手段１１３に送信する。
図７では、作業対象の配線を介して作業現場情報付与具の取付・使用状態情報を読む場合、作業現場情報発生部７０１は、７−Ｂと７−Ｃの形態が考えられる。７−Ｃでは、配線を接地したものであり、配線に接続するためと接地に接続するためのクリップ等の接続具を有している。勿論、接地具は作業現場情報付与具とは別に備えてもよい。
尚、作業現場情報付与具ごとに値の異なる所定の電気抵抗を介して接地すると、電気抵抗の違いを見て、作業現場情報付与具の個々を特定することも可能である。７−Ｂでは、配線と接地の間に作業現場情報付与具認識信号発生器７０５を入れ、配線に信号を伝えることができる。この場合、作業現場情報付与具ごとに異なる信号（周波数や繰り返しパルス、振幅など）を与えると、作業現場情報付与具個体を識別することが可能となる。又、信号に認識符号（ＩＤ）を含ませることで識別が可能としてもよい。
【００３２】
図９は、本発明に係る電気工事管理装置の作業現場情報付与具の取付具の一実施態様を示す図である。図7、図8において取付連動スイッチ７０４について述べたが、それを備えた取付具の例である。９−Ａには、作業現場情報付与具の取付具を押しつけすることで吸着する吸盤９０１と、吸盤９０１に押されて移動する棒９０２の先に着いた導電体の切片９０３と、押しつけた状態では、切片９０３により電気的に連結される対の電気端子９０４を有している。取付具が外れた状態では、対の電気端子９０４は、連結されず開放になっている。
９−Ｂでは、取付具には、磁石や粘着体の付着体９１１と押しつけにより移動する棒９０２とその先に着いた導電体の切片９０３と押しつけた状態では、切片９０３により電気的に連結される対の電気端子９０４を有している。棒９０２は、押しつけがない時は、バネやクッションなどの復元材９１２により戻り電気端子９０４は開放になる。
９−Ｃでは、断面がエル字状に曲がっていて、他のものに掛けて取付るフック９２１とその内側に掛けた時に押されて曲がるレバー９２２とその先端とフック９２１の内側に着いた対の電気端子９０４とを有している。掛けた時に電極が導通になる。
９−Ｄでは、作業現場情報付与具についた洗濯バサミ状のクリップ９３１とそれが他のものを挟んで少し開いた状態では、接触して導通する対の電気端子９０４とを有している。
【００３３】
上記の詳細例で述べたように管理具と作業現場情報付与具は構成されて機能する。
再度、図１と図２に戻って、その共通な動作について、遮断器を外してから再度投入するまでに亘って述べると以下のようになる。
１）   
作業者は、配電盤側で遮断器を外して管理具を取り付ける。下流側を接地する。ロックされ、遮断器を再投入することはできなくなる。従って、作業者が作業現場に出向く間に他の者により再投入される危険が回避される。
２）   
作業者は、現場で検電後に接地して作業現場情報付与具を取り付け作業を行う。その間、管理具は、作業現場情報付与具が取り付けられていることを検出していて、それを表示し、ロックを継続し、他の者により再投入される危険が回避される。一人の作業者が作業終了により作業現場情報付与具を外しても、他の作業者の作業現場情報付与具は取り付けられているのでロックは継続される。
３）   
全ての作業者が作業終了で作業現場情報付与具は全て外されるので、管理具でロックは解除され、管理具と接地を外して遮断器を再投入することが可能となる。
以上のように安全に作業を行うことができる。
【産業上の利用可能性】
【００３４】
以上のように本発明による電気工事管理装置は、全ての作業者が作業を終了して接地具を外したことを機械的確認して遮断器を投入できるので、他の作業者が作業していることを知らずに遮断器を投入し事故に至ることが回避でき安全作業を支援することが可能であるので、産業上の利用性が極めて大きい。
【符号の説明】
【００３５】
１００  電気工事管理装置
１１０  作業現場情報付与具
１１１  表示部
１１２  介在回路
１１３、８０２無線通信手段
１２０  管理具
２０１  接地切替スイッチ
４０１  作業現場情報付与具監視部
４０２  判断出力部
４０３  表示部
４０４、８０１  コントローラ
４０５  遮断器ロック部
４０６  無線通信部
４０７、４０７Ｂ  接地具
５０１  遮断器投入禁止具
５０２  電気錠
５０３  ＭＣＣＢ
５０４  スイッチノブ
５０５  ロックアウト具
５０６  錠前取り付け具
５０７  入切ハンドル
５０８  固定枠
５０９  電気錠
５１０  ハンドル固定具
５１１  投入釦
５１２  カバー部
５１３  固定部
５１４  投入釦カバー体
５１５  錠前取付部
６０１  論理和回路
６０２  インバータ
６０３  論理和回路
６０４  遅延部
６０５  初期化部
７０１  作業現場情報発生部
７０２  取付具
７０３  表示器
７０４  取付連動スイッチ
７０５  作業現場情報付与具認識信号発生器
９０１  吸盤
９０２  可動棒
９０３  切片
９０４  電気端子
９１１  付着体
９１２  復元体
９２１  フック
９２２  レバー
９３１  クリップ
１１００  配電盤側
１１０１  上流側配線
１１０２  下流配線
１１０３  遮断器
１１１０  作業現場側
１１１１Ａ、１１１１Ｂ  作業現場
【図１】
2013247748.tif 000003
【図２】
2013247748.tif 000004
【図３】
2013247748.tif 000005
【図４】
2013247748.tif 000006
【図５】
2013247748.tif 000007
【図６】
2013247748.tif 000008
【図７】
2013247748.tif 000009
【図８】
2013247748.tif 000010
【図９】
2013247748.tif 000011
【図１０】
2013247748.tif 000012